(57)【特許請求の範囲】
【請求項１】
単一亀裂を有する岩石試料を型として、亀裂を境とし、その亀裂面と反対側の面を鏡面研磨加工した平面とする２つの透明レプリカ試料を、一方は無色の透明樹脂により、他方は染料で着色した透明樹脂により作製し、それらを組み合わせることで亀裂を復元し、該亀裂内に前記染料とは異なる色の染料溶液を満たして岩石レプリカ試験体とし、該岩石レプリカ試験体に白色光を照射し、その透過光を前記２種類の染料の各色に対応したバンドパス特性を呈するフィルターを通して各色毎の２次元平面座標の光強度データを取得し、各色毎の２次元平面座標の吸光度から２種類の染料で着色された部分の厚さをそれぞれ算出し、染料溶液の厚さから亀裂開口幅の分布を求めると共に、着色した透明レプリカ試料の厚さの変化から着色した透明レプリカ試料側の亀裂面表面形状を求め、その着色した透明レプリカ試料側の亀裂面表面形状に染料溶液の厚さから求めた亀裂開口幅の分布を重ねることで無色の透明レプリカ試料側の亀裂面形状を求めて、それらによって亀裂の３次元的な形状を求めることを特徴とする亀裂開口幅と亀裂形状の同時測定方法。
【請求項２】
亀裂内を満たす染料溶液の屈折率を、透明レプリカ試料の材料である透明樹脂の屈折率にマッチングさせる請求項１記載の亀裂開口幅と亀裂形状の同時測定方法。
【請求項３】
一方の透明レプリカ試料の材料である透明樹脂の着色に青色染料を使用し、亀裂内を満たす染料溶液に赤色染料を用いる請求項１又は２記載の亀裂開口幅と亀裂形状の同時測定方法。
【請求項４】
請求項１記載の測定方法を実施するための装置であって、上下２つの透明レプリカ試料を組み合わせた岩石レプリカ試験体に均一な白色光を下方から照射するフラット照明装置と、該フラット照明装置の上方に位置し前記岩石レプリカ試験体の透過光を検出するモノクロのデジタルＣＣＤカメラと、該ＣＣＤカメラのレンズに設けられるバンドパスフィルターと、前記ＣＣＤカメラにより検出した２次元平面座標の光強度データを取り込み各色毎の２次元平面座標の吸光度から２種類の染料で着色された部分の厚さをそれぞれ算出して亀裂開口幅と亀裂形状を同時に求めるデータ収録装置を具備し、亀裂開口幅測定では染料溶液の吸収スペクトルに合わせたバンドパスフィルターを用い、亀裂形状測定では着色した透明レプリカ試料の吸収スペクトルに合わせたバンドパスフィルターを用いるようにし、前記データ収録装置を除く光学系全体が暗室内に収容されている亀裂開口幅と亀裂形状の同時測定装置。
【発明の詳細な説明】
【技術分野】
【０００１】
本発明は、岩石試料内に存在する単一亀裂の開口幅と形状を光学的に同時に測定する方法、及びその方法の実施に用いる装置に関するものである。この技術は、例えば岩石の亀裂内における透水や物質移行特性を詳細に評価するために有用である。
【背景技術】
【０００２】
高レベル放射性廃棄物の地層処分では、その安全評価のために天然バリア内での核種移行現象の解明が必要となる。そこで、主に結晶質岩の亀裂内を物質が移行する現象に着目して、５０ｃｍスケールの岩石試料について、境界条件を正確に設定でき、原位置での透水・物質移行現象を再現できる単一亀裂を対象とした透水・トレーサー室内試験装置が開発されている（非特許文献１参照）。この試験装置を用いることで、天然亀裂内の透水・物質移行現象についての様々な知見が得られている。しかし、天然亀裂内の透水・物質移行現象の解明を更に進めるためには、岩石試料内の亀裂開口幅と亀裂形状の両方を正確に測定する必要がある。
【０００３】
岩石試料内の亀裂開口幅や亀裂形状の測定には、従来から幾つかの方法が提案されている。例えば、岩石内の亀裂に樹脂を注入することにより亀裂を固定し、その岩石試料を切断あるいは研磨することにより亀裂を直接観察する方法がある（特許文献１参照）。この方法では、亀裂開口幅と亀裂形状を同条件で測定することができる。しかし、空間解像度の高いデータを取得するためには、岩石試料の切断や研磨の回数を多くする必要があり、そのため時間とコストの負担が大きい。また、測定を行うことで、岩石試料が消失してしまうことから、繰り返し試験ができず、また垂直応力の載荷などにより開口幅分布を変化させた場合のデータを取得することができないなどの問題もある。
【０００４】
このような機械的な切断や研磨による方法の他、光学的な測定手法を用いて亀裂開口幅を測定する方法もある。従来の光学的な測定方法では、透明な樹脂などを使用して亀裂のレプリカを作製し、亀裂の上下面を組み合わせた状態での亀裂に平行な２次元平面の亀裂開口幅を測定する（非特許文献２参照）。これによって、高い空間解像度で且つ高精度での測定が可能となる。しかし、この測定方法では、亀裂形状を測定することはできない。亀裂形状のデータを取得するためには、亀裂の上下面を組み合わせる前に、接触式あるいは非接触式の３次元形状測定機などを用いて亀裂形状を測定する必要がある。そのため、このような方法では、亀裂開口幅測定と亀裂形状測定の測定間隔や座標を完全に一致させることは困難である。
【先行技術文献】
【特許文献】
【０００５】
【特許文献１】特開２００６−５８０６９号公報
【非特許文献１】「亀裂状媒体水理試験設備（ＬＡＢＲＯＣＫ）による天然亀裂内の透水・物質移行特性評価」サイクル機構技報  No.18 2003.3
【非特許文献２】「Measurement of fracture aperture fields using transmitted light: An evaluation of measurement errors and their influence on simulations of flow and transport through a single fracture」WATER RESOURCES RESEACH,VOL.35,NO.9,PAGES 2605-2617,SEPTEMBER,1999
【発明の概要】
【発明が解決しようとする課題】
【０００６】
本発明が解決しようとする課題は、岩石試料内の単一天然亀裂の開口幅と３次元形状の両方を高い分解能で且つ高精度で同時に測定でき、しかも測定に際して岩石試料が消失することなく、また測定に要する時間とコストの負担を軽減できるようにすることである。
【課題を解決するための手段】
【０００７】
本発明は、単一亀裂を有する岩石試料を型として、亀裂を境とし、その亀裂面と反対側の面を鏡面研磨加工した平面とする２つの透明レプリカ試料を、一方は無色の透明樹脂により、他方は染料で着色した透明樹脂により作製し、それらを組み合わせることで亀裂を復元し、該亀裂内に前記染料とは異なる色の染料溶液を満たして岩石レプリカ試験体とし、該岩石レプリカ試験体に白色光を照射し、その透過光を前記２種類の染料の各色に対応したバンドパス特性を呈するフィルターを通して各色毎の２次元平面座標の光強度データを取得し、各色毎の２次元平面座標の吸光度から２種類の染料で着色された部分の厚さをそれぞれ算出し、染料溶液の厚さから亀裂開口幅の分布を求めると共に、着色した透明レプリカ試料の厚さの変化から着色した透明レプリカ試料側の亀裂面表面形状を求め、その着色した透明レプリカ試料側の亀裂面表面形状に染料溶液の厚さから求めた亀裂開口幅の分布を重ねることで無色の透明レプリカ試料側の亀裂面形状を求めて、それらによって亀裂の３次元的な形状を求めることを特徴とする亀裂開口幅と亀裂形状の同時測定方法である。
【０００８】
ここで、亀裂内を満たす染料溶液の屈折率を、透明レプリカ試料の材料である透明樹脂の屈折率にマッチングさせる。本発明では、例えば一方の透明レプリカ試料の材料である透明樹脂の着色に青色染料を使用し、亀裂内を満たす染料溶液に赤色染料を用いる。
【０００９】
更に本発明は、上記の方法を実施するための装置であって、上下２つの透明レプリカ試料を組み合わせた岩石レプリカ試験体に均一な白色光を下方から照射するフラット照明装置と、該フラット照明装置の上方に位置し前記岩石レプリカ試験体の透過光を検出するモノクロのデジタルＣＣＤカメラと、該ＣＣＤカメラのレンズに設けられるバンドパスフィルターと、前記ＣＣＤカメラにより検出した２次元平面座標の光強度データを取り込み各色毎の２次元平面座標の吸光度から２種類の染料で着色された部分の厚さをそれぞれ算出して亀裂開口幅と亀裂形状を同時に求めるデータ収録装置を具備し、亀裂開口幅測定では染料溶液の吸収スペクトルに合わせたバンドパスフィルターを用い、亀裂形状測定では着色した透明レプリカ試料の吸収スペクトルに合わせたバンドパスフィルターを用いるようにし、前記該データ収録装置を除く光学系全体が暗室内に収容されている亀裂開口幅と亀裂形状の同時測定装置である。
【発明の効果】
【００１０】
本発明に係る測定方法は、亀裂を境とする２つの透明レプリカ試料の一方が無色の透明樹脂、他方が染料で着色した透明樹脂からなり、それらを組み合わせることで復元された亀裂内に前記染料とは異なる色の染料溶液を満たして岩石レプリカ試験体とし、白色光を照射し、その透過光を、２種類の染料の各色に対応したバンドパスフィルターを通して２次元平面座標の光強度データを取得し、その吸光度から着色された部分の厚さを算出するものであるから、亀裂内を満たしている染料溶液の厚さと染料で着色した透明レプリカ試料の厚さを別々に算出でき、それによって亀裂開口幅と亀裂形状を同時に求めることができる。
【００１１】
本発明では、使用する染料の吸収スペクトルの極大値に合わせたバンドパスフィルターを用いることにより、使用する染料の濃度を極力低く抑えることができ、それによって２種類の染料部分における互いの測定による干渉の低減に寄与しうる。亀裂内に注入する染料溶液として、透明レプリカ試料の屈折率に近い屈折率の溶液を用いると、屈折率の違いに起因するノイズを低減できる。また、亀裂面と反対の面については、鏡面研磨加工を行うことで光の散乱を防止することができる。
【００１２】
各染料の吸収スペクトルの極大値に合わせたバンドパスフィルターをＣＣＤカメラのレンズに設置することにより、吸光度に関するランバートの法則を精度よく満たすことができ、測定精度が向上する。また、照射光の強度と測定される光の強度の直線性が高いＣＣＤカメラを用いることで測定精度が向上する。更に、本発明ではデジタルＣＣＤカメラで光強度を検出しているので、一度に２次元平面座標の光強度データを取得することが可能となり、ＣＣＤカメラの画素数に応じた高い空間解像度で亀裂開口幅と亀裂形状の測定が可能となる。
【００１３】
その上、照射光強度の分布が一様なフラット照明を用いることにより、測定領域全体においてＣＣＤカメラの測定分解能（例えば４０９６階調）を有効に使用でき、測定分解能が向上する。
【図面の簡単な説明】
【００１４】
【図１】本発明に係る測定装置の一実施例を示す説明図。
【発明を実施するための形態】
【００１５】
本発明に係る亀裂開口幅と亀裂形状の同時測定方法の実施に用いる装置の概略構成を図１に示す。まず、単一亀裂を有する岩石試料を型とする岩石レプリカ試験体１０を準備する。この岩石レプリカ試験体１０は、亀裂１２を境とする上下２つの透明レプリカ試料１４ａ，１４ｂを組み合わせて構成する。一方の透明レプリカ試料（例えば下方の透明レプリカ試料１４ｂ）は無色の透明樹脂により作製し、他方の透明レプリカ試料（例えば上方の透明レプリカ試料１４ａ）は染料で着色した透明樹脂により作製する。それら２つの透明レプリカ試料を組み合わせることで、高さ方向のほぼ中央に、亀裂１２が復元される。その亀裂内を、透明レプリカ試料の着色に用いた染料とは異なる色の染料溶液で充満させる。このようにして岩石レプリカ試験体を作製する。
【００１６】
例えば、上方の透明レプリカ試料は一定濃度となるように青色染料で着色し、亀裂内を満たす染料溶液は赤色染料により一定濃度とする。これら染料には、クリアであること、吸収スペクトルの極大値が１つであることなどの特性が求められる。また、亀裂内を満たす染料溶液の染料と透明レプリカ試料を着色する染料については、吸収スペクトルが重ならず互いの測定に干渉しないように選定する必要がある。このため、使用する染料については、分光光度計による分析を行いそれぞれの波長において、干渉が無視できる程度に小さいことを確認できた染料の組み合わせを使用する。ここでは吸収スペクトルの離れている赤色と青色を用いているが、吸収スペクトルが重ならずに分離できるのであれば他の色の組み合わせでも構わない。
【００１７】
また、亀裂内を満たす染料溶液の屈折率を、透明レプリカ試料の材料である透明樹脂の屈折率に近づけマッチングさせる。透明レプリカ試料と亀裂内に充填する溶液の屈折率が大きく異なると、屈折率の違いにより亀裂表面において反射や散乱が生じ、測定誤差が大きくなるからである。更に、透明レプリカ試料の亀裂面と反対側の面は平面とし鏡面研磨加工を施しておく。それによって、光の散乱を防止することができる。
【００１８】
この岩石レプリカ試験体１０を、フラット照明装置１６の上に載せ、均一な白色光で下方から照射する。岩石レプリカ試験体１０の上方にはモノクロのデジタルＣＣＤカメラ１８を設置し、該ＣＣＤカメラ１８のレンズに必要なバンドパルフィルター２０を取り付ける。これによって、バンドパスフィルター２０を通して前記岩石レプリカ試験体の透過光が撮影される。ここでバンドパスフィルター２０は、それぞれの染料の色に応じた特定の波長の光のみを透過する特性を呈するものである。即ち、亀裂１２内を満たした染料溶液を透過した光と、着色した上方の透明レプリカ試料１４ａを、それぞれの染料の色に応じた特定の波長の光のみを透過するバンドパスフィルター２０を通してＣＣＤカメラ１８で検出する。ＣＣＤカメラ１８で検出した２次元平面座標の光強度データは、ケーブルでデータ収録装置２２に伝送され、取り込まれる。データ収録装置２２では、それぞれの吸光度から各染料で着色された部分の厚さをランベルトの法則に基づいて算出し、それによって亀裂開口幅と亀裂形状を同時に求める。
【００１９】
ランベルトの法則によれば、入射光の強度をＩ0 、染料を透過した光の強度をＩとすると、吸光度Ａは、
Ａ＝−ｌｏｇ（Ｉ／Ｉ0 ）
で定義される。ここで、染料の濃度をＣ、光路長をＬ、染料の吸光係数をαとすると、
Ａ＝αＣＬ
となる。染料の吸光係数αは染料に固有の値であり、規定の濃度に調整した染料を用いた場合には、染料の吸光係数αと染料濃度Ｃは定数とみなすことができることから、吸光度Ａは光路長Ｌに比例することになる。この原理を用いると、吸光度から一定濃度の染料で着色された物の厚さを測定することができる。本発明において、亀裂開口幅の測定では、亀裂内に一定濃度の染料溶液を満たした場合の吸光度を用いることで、亀裂開口幅が光路長となり、また亀裂形状の測定では、透明レプリカ試料の作製に用いる透明樹脂を一定濃度の染料で着色した場合の吸光度を用いることで、染料で着色した透明レプリカ試料の厚さが光路長となる。この場合、亀裂開口幅測定と亀裂形状測定とで、使用する染料の色を変えて異なる波長の光で測定しているので、同時測定が可能となる。
【００２０】
モノクロのデジタルＣＣＤカメラは、その画素数に応じた測定解像度で、岩石レプリカ試験体を透過した光の強度を２次元座標の数値データとして検出する。ＣＣＤカメラに要求される性能は、入力した光の強度と測定される数値データとが直線関係であること、測定されるデータの分解能が高いこと（例えば１２ｂｉｔ（４０９６階調）以上）である。データ収録装置は、検出データの記録及びそれに基づくデータ処理を行い、亀裂開口幅と亀裂形状を求め、その結果の表示などを行う。
【００２１】
前記吸光についてのランベルトの法則は、単色光（一定の波長のみからなる光）の条件で成立する。このため、白色光源を使用するものの、ＣＣＤカメラのレンズに赤色や青色の染料の吸収スペクトルの極大値に合わせたバンドパスフィルターを取り付けており、それによって単色光に近い条件で測定を行うことができる。また、それによって使用する染料の濃度を極力低く抑えることができ、各染料についての測定における互いの干渉を低減できる。
【００２２】
亀裂開口幅測定では、赤色染料の吸収スペクトルに合わせたバンドパスフィルターを用い、亀裂内を満たした染料溶液の透過光をＣＣＤカメラで検出し、ランベルトの法則に基づき染料溶液の厚さを算出することで行う。また、亀裂形状測定では、青色染料の吸収スペクトルに合わせたバンドパスフィルターを用い、青色に着色された透明レプリカ試料を透過した光をＣＣＤカメラで検出し、ランベルトの法則に基づき前記透明レプリカ試料の厚さを算出する。亀裂面と反対側の面は鏡面研磨された平面であるので、前記透明レプリカ試料の厚さの変化は上側の亀裂面の形状を表していることになる。その上側の亀裂面の形状に、染料溶液の厚さから算出される開口幅を重ねることで、下側の亀裂面の形状が求まり、それらによって亀裂の３次元的な形状が求まることになる。
【００２３】
ところで、照射光強度が一様でない場合には、ＣＣＤカメラで検出される光強度データは最も明るい領域に最大値が調整されるため、照射光強度が低い領域においては、ＣＣＤカメラの有効階調値が低下し、測定分解能が低下してしまう。このため、照射光強度の分布が比較的一様なフラット照明を用いている。それによって、測定領域全体において、ＣＣＤカメラの測定分解能を有効に使用できるようになり、測定分解能が向上する。また、図１に示すように、データ収録装置２２を除く他の光学系については、暗室２４の中に設置することにより環境光の影響を受けないように配慮している。
【実施例】
【００２４】
まず、岩石レプリカ試験体を作製した。透明レプリカ試料は、岩石試料の型をシリコン（信越化学工業株式会社ＫＥ−１２）で作製し、そのシリコン型に透明エポキシ樹脂（日新レジン株式会社クリスタルレジン２）を注入し硬化させて作製した。
【００２５】
具体的な作製手順を以下に示す。亀裂の形状を正確に再現するために、岩石試料よりも一回り大きく、分解・組立が可能な容器を用意した。容器の中央に、亀裂面を上にして岩石試料を設置し、硬化剤を加えて撹拌・脱泡したシリコンを、容器からあふれる程度に注入し、蓋をして常温で硬化させた。シリコンが硬化した後、容器を分解しながらシリコンを取り出し、シリコンから岩石試料を取り除き洗浄した。シリコン型は、変形しないように、平面度の高い板の上に設置した。岩石試料のシリコン型に、主剤に硬化剤を加えて撹拌・脱泡した透明エポキシ樹脂を注入し、常温で硬化させた。硬化した透明レプリカ試料をシリコン型から取り出し、亀裂と反対側の面はサンドペーパーとコンパウンドにより平面かつ鏡面になるように研磨を行った。
【００２６】
以上の工程を亀裂の上下面について行い、上下２つの透明レプリカ試料を作製した。どちらか一方の透明レプリカ試料（例えば、上方の透明レプリカ試料）の作製に際しては、透明エポキシ樹脂を青色染料（ブレニー技研クリアブルー２１０６）で着色した。
【００２７】
上下２つの透明レプリカ試料を重ねて荷重を掛けない状態で、側面にアクリル板を張り付けることにより、両透明レプリカ試料を支持すると共に止水と固定を行った。開放されている面については注入・排出用のポートを設置し、配管を通して亀裂内を染料溶液で満たした。亀裂内を満たす染料溶液としては、透明レプリカ試料（日新レジン株式会社クリスタルレジン２）と屈折率がほぼ等しい溶媒（ブレニー技研ＧＭ−９００２主剤）を使用し、その着色にはエポキシ樹脂用の赤色染料（ブレニー技研Ｒ−１１クリアレッド）を使用した。
【００２８】
上記の２種類の染料を使用しているのは、クリアで、吸収スペクトルの極大値が１つであり、吸収スペクトルが重ならないことによる。染料濃度は、測定対象（開口幅あるいは透明レプリカ試料の厚さ）の最大値での透過光強度が入射光強度の１／１０程度になるように調整した。濃度が薄い場合には測定分解能が低くなり、濃度が濃い場合には測定精度が低くなるためである。実際には、亀裂内を満たす染料溶液の染料濃度は５％、透明レプリカ試料を染色する染料濃度は０．５％とした。
【００２９】
バンドパスフィルターは、使用する染料の吸光スペクトルの極大値の波長に合わせたもので、透過光波長の半値幅が狭いバンドパスフィルターを使用した。実施例では、亀裂内を満たしている染料溶液の測定には、赤色染料の吸収スペクトルの極大値に合わせたバンドバスフィルター（朝日分光株式会社製ＭＸ０５１０（透過中心波長５１０ｎｍ、半値幅１０ｎｍ））を、染料で着色した透明レプリカ試料の測定には、青色染料の吸収スペクトルの極大値に合わせたバンドバスフィルター（朝日分光株式会社製ＭＸ０６８０（透過中心波長６８０ｎｍ、半値幅１２ｎｍ））を使用した。
【００３０】
フラット照明装置としては、ＬＥＤ光源が側面にあるエッジライト方式（導光板方式）を採用した。この種のフラット照明装置は、光の強さが一様であり、光の強さが時間的に変化せず光源が熱を持たないため、特に好ましいからである。使用したＣＣＤカメラは、測定データの分解能が高い１２ｂｉｔ（４０９６階調）のモノクロのデジタルＣＣＤカメラである
【００３１】
このような方法と装置により、岩石試料内に存在する単一天然亀裂の開口幅と３次元的形状を同時に測定することができた。
【符号の説明】
【００３２】
１０  岩石レプリカ試験体
１２  亀裂
１４ａ，１４ｂ  透明レプリカ試料
１６  フラット照明装置
１８  ＣＣＤカメラ
２０  バンドパスフィルター
２２  データ収録装置
２４  暗室
【図１】
0005326174.tif 000002